(57)【要約】      （修正有）【課題】簡単な塗布操作で、塗布液をムラなく均一に塗布できる転写液塗布具を提供する。【解決手段】転写液塗布具１は、塗布液を身体の一部に転写して塗布する転写部４を有し、転写部４は、棒状である。この転写部４は、その表面の転写面に凹凸を有する。【選択図】図１
2013005904.tif 000002
【特許請求の範囲】
【請求項１】
塗布液を身体の一部に転写して塗布する転写部を有し、
前記転写部は、棒状であることを特徴とする転写液塗布具。
【請求項２】
前記転写部は、その表面の転写面に凹凸を有することを特徴とする請求項１に記載の転写液塗布具。
【発明の詳細な説明】
【技術分野】
【０００１】
この発明は、塗布液を身体の一部に転写して塗布する転写液塗布具に関する。
【背景技術】
【０００２】
従来、まぶたを一重から人工的に二重にするための化粧品があり、この化粧品によって糊状の液体をまぶたの皮膚に塗り、二重のヒダができるように貼り合せて二重まぶたを形成している。
【０００３】
また、例えばマスカラブラシとして、特許文献１に開示されているように、ブラシに付着させたマスカラを、まつ毛に塗布するものがある。
【先行技術文献】
【特許文献】
【０００４】
【特許文献１】特開平５−２２８０１８号公報
【発明の開示】
【発明が解決しようとする課題】
【０００５】
従来のまぶたを人工的に二重にするための化粧品では、例えば、毛の束を先端に付け、この毛の束でまぶたの皮膚に弧を描くようにして糊状の液体を塗布しているが、鏡を見ながら何回も繰り返して塗布するのは面倒であり、しかも所定の位置に正確に塗布することができなかった。
【０００６】
同様に、マスカラブラシによりマスカラをまつ毛に塗布する場合も、塗布操作を繰り返えしても、まつ毛に塗布液を均一に塗布できないことから、塗布むらが生じることがあった。
【０００７】
この発明は以上の点を考慮してなされたもので、簡単な塗布操作で、塗布液をムラなく均一に塗布できる転写液塗布具を提供することを目的としている。
【課題を解決するための手段】
【０００８】
前記課題を解決し、かつ目的を達成するために、この発明は、以下のように構成した。
【０００９】
請求項１に記載の発明は、塗布液を身体の一部に転写して塗布する転写部を有し、前記転写部は、棒状であることを特徴とする転写液塗布具である。
【００１０】
請求項２に記載の発明は、前記転写部は、その表面の転写面に凹凸を有することを特徴とする請求項１に記載の転写液塗布具である。
【発明の効果】
【００１１】
前記構成により、この発明は、以下のような効果を有する。
【００１２】
請求項１に記載の発明では、塗布液を身体の一部に転写して塗布する転写部を有し、転写部は、棒状であることで、転写部によって塗布液を身体の一部に沿わせて転写することで、簡単な塗布操作で、塗布液をムラなく均一に塗布することができる。
【００１３】
請求項２に記載の発明では、転写部は、その表面の転写面に凹凸を有することで、転写面によって塗布液を確実に保持して身体の一部に転写することができ、簡単な塗布操作で、塗布液をムラなく均一に塗布することができる。
【図面の簡単な説明】
【００１４】
【図１】第１の実施の形態の転写液塗布具を示し、図１（ａ）は側面図、図１（ｂ）は図１（ａ）のＡ−Ａ断面図である。
【図２】他の実施の形態の転写液塗布具を示し、図２（ａ）は側面図、図２（ｂ）は図２（ａ）のＢ−Ｂ断面図である。
【図３】転写部の他の実施の形態の断面図である。
【図４】転写液塗布具と塗布容器とを示す図である。
【図５】転写液塗布具をまぶたを人工的に二重にするための化粧品として使用する図である。
【図６】転写液塗布具をまつげにマスカラを塗布するマスカラブラシとして使用する図である。
【図７】第２の実施の形態の転写液塗布具を示し、図７（ａ）は平面図、図７（ｂ）は側面図である。
【図８】第３の実施の形態の転写液塗布具を示し、図８（ａ）は平面図、図８（ｂ）は側面図である。
【図９】第４の実施の形態の転写液塗布具を示し、図９（ａ）は平面図、図９（ｂ）は側面図、図９（ｃ）は転写面側から見た図である。
【図１０】第５の実施の形態の転写液塗布具を示し、図１０（ａ）は転写面側から見た図、図１０（ｂ）は図１０（ａ）のＣ−Ｃ断面図である。
【発明を実施するための最良の形態】
【００１５】
以下、この発明の転写液塗布具の実施の形態について説明する。この発明の実施の形態は、発明の最も好ましい形態を示すものであり、この発明はこれに限定されない。
【００１６】
［第１の実施の形態］
この実施の形態を、図１乃至図６に基づいて説明する。図１は転写液塗布具を示し、図１（ａ）は側面図、図１（ｂ）は図１（ａ）のＡ−Ａ断面図、図２は転写液塗布具を示し、図２（ａ）は側面図、図２（ｂ）は図２（ａ）のＢ−Ｂ断面図、図３は転写部の他の実施の形態の断面図、図４は転写液塗布具と塗布容器とを示す図、図５は転写液塗布具をまぶたを人工的に二重にするための化粧品として使用する図、図６は転写液塗布具をまつげにマスカラを塗布するマスカラブラシとして使用する図である。
【００１７】
まず、この転写液塗布具１の構成について説明する。この実施の形態の転写液塗布具１は、図１及び図２に示すように、キャップ２に支持軸部３を固定し、この支持軸部３の先端に塗布液を身体の一部に転写して塗布する転写部４を設けたものであり、この転写部４は、棒状である。
【００１８】
この転写部４は、支持軸部３の先端に芯材５を固定し、この芯材５は曲げることが可能な金属線が用いられる。この芯材５を転写型材６により被覆し、この転写型材６の全表面の転写面４ａには、無数の突起６ａによって凹凸が形成されている。
【００１９】
このように、転写部４の転写面４ａが身体の一部に沿う形状であり、凹凸は、無数の突起６ａによって形成しているが、凹みによって形成してもよく、また凸条、あるいは溝によって形成してもよい。この凸条、あるいは溝は、１本でも、複数本でもよい。
【００２０】
この実施の形態では、転写部４が弓なりに曲げた棒状であり、この転写面４ａに無数の突起６ａによって凹凸を設けているが、図２に示すように、転写部４の転写面４ａに軸方向に伸びる溝６ｇによって凹凸を設けてもよい。      
【００２１】
また、この実施の形態では、芯材５は曲げることが可能な金属線が用いられるが、樹脂線であってもよく、また曲げないで曲げ形状に加工した部材であってもよい。また、転写型材６には、シリコンゴムを用いているが、その他のゴム、ウレタンチップフォーム、フロッキー、樹脂などを用いて棒状にすることができる。
【００２２】
さらに、転写部４は、芯材５を用いないで硬質の転写型材６を用いて形成してもよく、この実施の形態の断面形状を図３に示す。図３（ａ）は槍先形状、図３（ｂ）は鍵穴形状、図３（ｃ）はヒトデ形状、図３（ｄ）はハート形状、図３（ｅ）は円形状、図３（ｆ）は四角形状、図３（ｇ）はたまご形状、図３（ｈ）はひょうたん形状、図３（ｉ）はひし形形状であり、転写面を種々の形状にすることで、転写面に塗布液を保持でき転写性能を向上させることができる。
【００２３】
図３の実施の形態では、転写型材６に芯材を入れてもよく、また転写型材６の表面に突起を形成してもよい。
【００２４】
次に、この転写液塗布具１の使用について説明する。図４及び図５は転写液塗布具１をまぶたを人工的に二重にするための化粧品として使用する場合を示し、図４に示すように、塗布液容器１００から転写液塗布具１を引き出すときに、転写部４全体が塗布液容器１００のしごき部材１０１によってしごかれる。しごき残された塗布液１０２は、塗布部４全体に均一に付着して保持できる。
【００２５】
したがって、使用者が、図５に示すように、転写部４の転写面４ａをまぶたの所定位置に沿わせて押し当てることで、塗布部４の転写面４ａがまぶた５００の形状に沿う曲がり面であり、塗布液１０２の糊状の液体をまぶた５００の所定位置に転写して塗布することができる。このように、１度押し当てることで転写して塗布することができ、鏡を見ながら何回も繰り返して塗布するような面倒がなくなり、しかも所定の位置に正確に塗布することができる。このようにして、糊状の液体をまぶたの皮膚に塗り、二重のヒダができるように貼り合せて二重まぶたを形成することができる。
【００２６】
図６は転写液塗布具１をまつげにマスカラを塗布するマスカラブラシとして使用する場合を示し、図６に示すように、転写部４の転写面４ａが上まつ毛または下まつ毛６００の形状に沿う曲がり面であり、上まつ毛または下まつ毛６００の所定位置に沿わせて押し当てることで、塗布液１０２のマスカラを所定位置に転写して塗布することができる。このように、１度押し当てることで転写して塗布することができ、鏡を見ながら何回も繰り返して塗布するような面倒がなくなり、しかも所定の位置に正確に塗布することができる。
【００２７】
［第２の実施の形態］
この実施の形態を、図７に基づいて説明する。図７は転写液塗布具を示し、図７（ａ）は平面図、図７（ｂ）は側面図である。この実施の形態の転写液塗布具１は、図１乃至図６に示す第１の実施の形態と同じなし構成は同じ符号を付して説明を省略する。
【００２８】
この実施の形態の転写液塗布具１は、キャップ２に支持軸部３を固定し、この支持軸部３の先端に塗布液を身体の一部に転写して塗布する転写部４を設けたものであるが、この転写部４は、硬質の転写型材６を用いて棒状に形成している。
【００２９】
転写型材６は、断面方形の棒状であり、上下の転写面４ａ１と左右の転写面４ａ２とを有する。この上下の転写面４ａ１は平行であるが、左右の転写面４ａ２は凹み曲面となっている。
【００３０】
この実施の形態では、図５及び図６に示すように、転写部４の上または下の転写面４ａ１を、身体の所定位置に沿わせて押し当てることで、塗布液を所定位置に転写して塗布することができるが、転写部４の左または右の転写面４ａ１を、身体の所定位置に沿わせて押し当てることで、塗布液を所定位置に転写して塗布することもできる。
【００３１】
［第３の実施の形態］
この実施の形態を、図８に基づいて説明する。図８は転写液塗布具を示し、図８（ａ）は平面図、図８（ｂ）は側面図である。この実施の形態の転写液塗布具１は、図７に示す第２の実施の形態と同じなし構成は同じ符号を付して説明を省略する。
【００３２】
この実施の形態の転写液塗布具１は、第２の実施の形態と同様に構成され、この実施の形態では、転写型材６の上下の転写面４ａ１と左右の転写面４ａ２は無数の凹み６ｂを設けることで凹凸としているが、無数の突起を設けることで凹凸としてもよい。
【００３３】
［第４の実施の形態］
この実施の形態を、図９に基づいて説明する。図９は転写液塗布具を示し、図９（ａ）は平面図、図９（ｂ）は側面図、図９（ｃ）は転写面側から見た図である。この実施の形態の転写液塗布具１は、図１乃至図６に示す第１の実施の形態と同じなし構成は同じ符号を付して説明を省略する。
【００３４】
転写型材６は、断面方形の棒状であり、転写面４ａ５が凹凸を有し、この凹凸は平行な溝６ｃを複数本設けて形成しているが、平行な溝を格子状に設け形成してもよい。
【００３５】
［第５の実施の形態］
この実施の形態を、図１０に基づいて説明する。図１０は転写液塗布具を示し、図１０（ａ）は転写面側から見た図、図１０（ｂ）は図１０（ａ）のＣ−Ｃ断面図である。この実施の形態の転写液塗布具１は、図１乃至図６に示す第１の実施の形態と同じなし構成は同じ符号を付して説明を省略する。
【００３６】
この実施の形態の転写液塗布具１は、転写型材６が断面方形の棒状であり、対向する転写面４ａ６が凹凸を有し、この転写面４ａ６は溝６ｃを設けることで凹凸としているが、凸条を設けることで凹凸を有するようにしてもよい。
【産業上の利用可能性】
【００３７】
この発明は、塗布液を身体の一部に転写して塗布する転写液塗布具に適用して好適なものであり、簡単な塗布操作で、塗布液をムラなく均一に塗布できる。
【符号の説明】
【００３８】
１  転写液塗布具
２  キャップ
３  支持軸部
４  転写部
４ａ，４ａ１，４ａ２，４ａ５，４ａ６  転写面
５  芯材
６  転写型材
６ａ  突起
６ｂ  凹み
６ｃ，６ｇ  溝
６ｄ  凸条
１００    塗布液容器１０１    しごき部材
１０２  塗布液
【図１】
2013005904.tif 000003
【図２】
2013005904.tif 000004
【図３】
2013005904.tif 000005
【図４】
2013005904.tif 000006
【図５】
2013005904.tif 000007
【図６】
2013005904.tif 000008
【図７】
2013005904.tif 000009
【図８】
2013005904.tif 000010
【図９】
2013005904.tif 000011
【図１０】
2013005904.tif 000012